【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
印刷装置を制御する情報処理装置であって、
ジョブを受信する受信手段と、
前記受信手段により受信された設定取得ジョブの送信元のクライアント装置によって、前記受信手段により設定取得ジョブが受信された場合に取得される情報を保持する第１の格納領域と、前記受信手段により受信された設定取得ジョブの送信元のクライアント装置によって、前記受信手段により設定取得ジョブが受信された場合に取得されない情報を保持する第２の格納領域と、に情報を格納する格納手段と、を有し、
前記格納手段は、前記受信手段によって受信された、前記設定取得ジョブと異なる設定ジョブに基づいて設定される動作モードに関する設定情報を前記第１の格納領域及び前記第２の格納領域に格納し、
前記設定ジョブが前記受信手段によって受信された後、前記設定取得ジョブが前記受信手段によって受信された場合、前記第１の格納領域に保存された前記設定情報が、前記受信手段によって受信された前記設定取得ジョブの送信元のクライアント装置によって取得されることを特徴とする情報処理装置。
【請求項２】
前記格納手段は、前記受信手段によって前記設定ジョブが受信されたことに応じて、前記設定情報を前記第１の格納領域及び前記第２の格納領域に格納することを特徴とする請求項１に記載の情報処理装置。
【請求項３】
前記格納手段は、前記受信手段によって前記設定ジョブが受信されたことに応じて、前記設定情報を前記第２の格納領域に格納し、クライアント装置から前記設定取得ジョブが受信されたことに応じて、前記設定情報を前記第１の格納領域に格納することを特徴とする請求項１に記載の情報処理装置。
【請求項４】
前記印刷装置に設定されている動作モードに関する設定情報を前記印刷装置から取得する取得手段をさらに有し、
前記格納手段は、前記印刷装置から前記設定情報を前記取得手段が取得可能である場合、前記受信手段によって前記設定取得ジョブが受信されたことに応じて、前記第１の格納領域に、前記印刷装置から取得された前記設定情報を格納し、
前記印刷装置から前記設定情報を前記取得手段が取得可能でない場合、前記受信手段によって前記設定取得ジョブが受信されたことに応じて、前記第１の格納領域に、前記受信手段によって前記設定ジョブが受信されたことに応じて前記第２の格納領域に格納された前記設定情報を格納することを特徴とする請求項１に記載の情報処理装置。
【請求項５】
前記設定情報は、印刷に使用されるインクを節約するためのインク節約機能の設定に関する情報、印刷に使用されるインクカートリッジの設定に関する情報、前記印刷装置に印刷ジョブが投入されたときに自動的に前記印刷装置の電源をオンにする自動電源オン機能の設定に関する情報  及び 、前記印刷装置が所定時間使用されない場合に前記印刷装置の電源を切る自動電源オフ機能の設定に関する情報のうち少なくとも１つであることを特徴とする請求項１乃至請求項４のいずれか１項に記載の情報処理装置。
【請求項６】
前記受信手段によって受信された設定ジョブに基づいて動作モードを前記印刷装置に設定する設定手段をさらに有することを特徴とする請求項１乃至請求項５のいずれか１項に記載の情報処理装置。
【請求項７】
前記受信手段によって受信された設定ジョブに基づいて動作モードを前記印刷装置に設定する設定手段をさらに有し、
前記格納手段は、前記受信手段によって前記動作モードのうち第１の動作モードに関する第１設定ジョブが受信された場合、前記第１の動作モードに関する第１設定情報を前記第１の格納領域及び前記第２の格納領域に格納し、
前記設定手段は、前記受信手段によって前記第１設定ジョブが受信された場合、前記第１の動作モードを前記印刷装置に設定し、
前記格納手段は、前記受信手段によって前記動作モードのうち第２の動作モードに関する第２設定ジョブが受信された場合、前記第２の動作モードに関する第２設定情報を前記第１の格納領域及び前記第２の格納領域に格納し、
前記設定手段は、前記受信手段によって前記第２設定ジョブが受信された場合、前記第２の動作モードを前記印刷装置に設定しないことを特徴とする請求項１に記載の情報処理装置。
【請求項８】
前記印刷装置に設定されている動作モードに関する設定情報を前記印刷装置から取得する取得手段をさらに有し、
前記取得手段は、前記第１設定情報を前記印刷装置から取得し、
前記格納手段は、前記印刷装置から前記第１設定情報に関する設定情報を前記取得手段が取得可能である場合、前記格納手段は、前記第１の動作モードに関する第１設定取得ジョブが受信されたことに応じて、前記第１の格納領域に、前記印刷装置から取得された前記第１設定情報を格納し、
前記印刷装置から前記第１設定情報を前記取得手段が取得可能でない場合、前記受信手段によって前記第１設定取得ジョブが受信されたことに応じて、前記第１の格納領域に、前記受信手段によって前記第１設定ジョブが受信されたことに応じて前記第２の格納領域に格納された前記第１設定情報を格納することを特徴とする請求項７に記載の情報処理装置。
【請求項９】
前記取得手段は、前記第２設定情報を前記印刷装置から取得せず、
前記格納手段は、前記受信手段によって前記第２の動作モードに関する第２設定取得ジョブが受信されたことに応じて、前記第１の格納領域に、前記受信手段によって前記第２設定ジョブが受信されたことに応じて前記第２の格納領域に格納された前記第２設定情報を格納することを特徴とする請求項８に記載の情報処理装置。
【請求項１０】
前記第１設定情報は、前記印刷装置に印刷ジョブが投入されたときに自動的に前記印刷装置の電源をオンにする自動電源オン機能の設定に関する情報  又は 、前記印刷装置が所定時間使用されない場合に前記印刷装置の電源を切る自動電源オフ機能の設定に関する情報であることを特徴とする請求項７乃至請求項９のいずれか１項に記載の情報処理装置。
【請求項１１】
前記第２設定情報は、印刷に使用されるインクを節約するためのインク節約機能の設定に関する情報又は印刷に使用されるインクカートリッジの設定に関する情報であることを特徴とする請求項７乃至請求項１０のいずれか１項に記載の情報処理装置。
【請求項１２】
前記設定情報が前記クライアント装置により取得された場合、前記クライアント装置が備える表示部に、前記設定ジョブに基づいて設定された動作モードに関する画面が表示されることを特徴とする請求項１乃至請求項１１のいずれか１項に記載の情報処理装置。
【請求項１３】
前記情報処理装置の印刷環境は、ＣＵＰＳ（Ｃｏｍｍｏｎ    ＵＮＩＸ  Ｐｒｉｎｔｉｎｇ  Ｓｙｓｔｅｍ）による印刷制御システムで実現されることを特徴とする請求項１乃至請求項１２のいずれか１項に記載の情報処理装置。
【請求項１４】
前記第２の格納領域は、前記情報処理装置に接続されている前記印刷装置が登録された場合に、前記印刷装置を登録したクライアント装置によって取得される情報を保持することを特徴とする請求項１乃至請求項１３のいずれか１項に記載の情報処理装置。
【請求項１５】
前記設定ジョブが前記受信手段によって受信された後、前記設定取得ジョブが前記受信手段によって受信された場合、前記第１の格納領域に保存された前記設定情報がクライアント装置に前記情報処理装置のＯＳによってコピーされることで、前記第１の格納領域に保存された前記設定情報が前記クライアント装置によって取得されることを特徴とする請求項１乃至請求項１４のいずれか１項に記載の情報処理装置。
【請求項１６】
第１クライアント装置から送信される前記設定ジョブが前記受信手段によって受信された後、第２クライアント装置から送信される前記設定取得ジョブが前記受信手段によって受信された場合、前記第１の格納領域に保存され、且つ前記第１クライアント装置から送信される前記設定ジョブに基づく前記設定情報が前記第２クライアント装置によって取得されることを特徴とする請求項１乃至請求項１５のいずれか１項に記載の情報処理装置。
【請求項１７】
第１クライアント装置から送信される前記設定ジョブが前記受信手段によって受信された後、第２クライアント装置から送信される前記設定ジョブが前記受信手段によって受信された場合、前記第２の格納領域に格納されている前記第１クライアント装置から送信される前記設定ジョブに基づいて設定される動作モードに関する設定情報が、前記第２クライアント装置から送信される前記設定ジョブに基づいて設定される動作モードに関する設定情報に更新されることを特徴とする請求項１乃至請求項１６のいずれか１項に記載の情報処理装置。
【請求項１８】
印刷装置を制御するサーバ装置と通信するクライアント装置であって、
サーバ装置にジョブを送信する送信手段と、
前記送信手段により設定取得ジョブが送信された場合に、前記設定取得ジョブと異なる設定ジョブに基づいて設定される動作モードに関する設定情報を取得する取得手段と、を有し、
前記サーバ装置は、前記サーバ装置が受信した設定取得ジョブの送信元のクライアント装置によって、前記サーバ装置が前記設定取得ジョブを受信した場合に取得される情報を保持する第１の格納領域及び、前記サーバ装置が受信した前記設定取得ジョブの送信元のクライアント装置によって、前記サーバ装置が前記設定取得ジョブを受信した場合に取得されない情報を保持する第２の格納領域に、前記サーバ装置が受信した設定ジョブに基づいて設定される動作モードに関する設定情報を格納し、
前記取得手段は、前記クライアント装置から送信される設定取得ジョブが前記サーバ装置に受信された場合に、前記第１の格納領域から前記クライアント装置にコピーされる前記設定情報を取得することを特徴とするクライアント装置。
【請求項１９】
前記設定情報が前記取得手段により取得された場合、前記クライアント装置が備える表示部に、前記設定ジョブに基づいて設定された動作モードに関する画面が表示されることを特徴とする請求項１８に記載のクライアント装置。
【請求項２０】
前記クライアント装置の印刷環境は、ＣＵＰＳ（Ｃｏｍｍｏｎ    ＵＮＩＸ  Ｐｒｉｎｔｉｎｇ  Ｓｙｓｔｅｍ）による印刷制御システムで実現されることを特徴とする請求項１８又は請求項１９に記載のクライアント装置。
【請求項２１】
前記第２の格納領域は、前記情報処理装置に接続されている前記印刷装置が登録された場合に、前記印刷装置を登録したクライアント装置によって取得される情報を保持することを特徴とする請求項１８乃至請求項２０のいずれか１項に記載のクライアント装置。
【請求項２２】
印刷装置を制御する情報処理装置の制御方法であって、
ジョブを受信する受信ステップと、
前記情報処理装置により受信された設定取得ジョブの送信元のクライアント装置によって、前記情報処理装置により前記設定取得ジョブが受信された場合に取得される情報を保持する第１の格納領域に情報を格納する第１格納ステップと、
前記情報処理装置により受信された前記設定取得ジョブの送信元のクライアント装置によって、前記情報処理装置により前記設定取得ジョブが受信された場合に取得されない情報を保持する第２の格納領域と、に情報を格納する第２格納ステップと、を有し、
前記情報処理装置によって受信された、前記設定取得ジョブと異なる設定ジョブに基づいて設定される動作モードに関する設定情報が前記第１の格納領域及び前記第２の格納領域に格納され、
前記設定ジョブが前記情報処理装置によって受信された後、前記設定取得ジョブが前記情報処理装置によって受信された場合、前記第１の格納領域に保存された前記設定情報が、前記情報処理装置によって受信された前記設定取得ジョブの送信元のクライアント装置によって取得されることを特徴とする制御方法。
【請求項２３】
前記第２の格納領域は、前記情報処理装置に接続されている前記印刷装置が登録された場合に、前記印刷装置を登録したクライアント装置によって取得される情報を保持することを特徴とする請求項２２に記載の制御方法。
【請求項２４】
印刷装置を制御するサーバ装置と通信するクライアント装置の制御方法であって、
サーバ装置にジョブを送信する送信ステップと、
前記クライアント装置により設定取得ジョブが送信された場合に、前記設定取得ジョブと異なる設定ジョブに基づいて設定される動作モードに関する設定情報を取得する取得ステップと、を有し、
前記サーバ装置は、前記サーバ装置が受信した設定取得ジョブの送信元のクライアント装置によって、前記サーバ装置が前記設定取得ジョブを受信した場合に取得される情報を保持する第１の格納領域及び、前記サーバ装置が受信した前記設定取得ジョブの送信元のクライアント装置によって、前記サーバ装置が前記設定取得ジョブを受信した場合に取得されない情報を保持する第２の格納領域に、前記サーバ装置が受信した設定ジョブに基づいて設定される動作モードに関する設定情報を格納し、
前記クライアント装置から送信される設定取得ジョブが前記サーバ装置に受信された場合に、前記第１の格納領域から前記クライアント装置にコピーされる前記設定情報が前記クライアント装置によって取得されることを特徴とする制御方法。
【請求項２５】
前記第２の格納領域は、前記サーバ装置に接続されている前記印刷装置が登録された場合に、前記印刷装置を登録したクライアント装置によって取得される情報を保持することを特徴とする請求項２４に記載の制御方法。
【請求項２６】
コンピュータを、請求項１乃至請求項１７のいずれか１項に記載の情報処理装置又は、請求項１８乃至請求項２１のいずれか１項に記載のクライアント装置の各手段として機能させるためのプログラム。
【手続補正２】
【補正対象書類名】明細書
【補正対象項目名】０００６
【補正方法】変更
【補正の内容】
【０００６】
上記の目的を達成するための本発明による情報処理装置は、印刷装置を制御する情報処理装置であって、ジョブを受信する受信手段と、前記受信手段により受信された設定取得ジョブの送信元のクライアント装置によって、前記受信手段により設定取得ジョブが受信された場合に取得される情報を保持する第１の格納領域と、前記受信手段により受信された設定取得ジョブの送信元のクライアント装置によって、前記受信手段により設定取得ジョブが受信された場合に取得されない情報を保持する第２の格納領域と、に情報を格納する格納手段と、を有し、前記格納手段は、前記受信手段によって受信された、前記設定取得ジョブと異なる設定ジョブに基づいて設定される動作モードに関する設定情報を前記第１の格納領域及び前記第２の格納領域に格納し、前記設定ジョブが前記受信手段によって受信された後、前記設定取得ジョブが前記受信手段によって受信された場合、前記第１の格納領域に保存された前記設定情報が、前記受信手段によって受信された前記設定取得ジョブの送信元のクライアント装置によって取得されることを特徴とする。